(57)【要約】      （修正有）【課題】防草効果を長期間維持すると共に、防草材の交換作業が容易でこの交換時に除草効果も生じ、工事コストも安価に済むロープ状除草具を提供する。【解決手段】舗装道路Ｐ１、コンクリートブロックＰ２、家屋等の構造物の隅部に設置される除草具１を形成する。該除草具１は略ロープ状を成し、構造物の隅部を覆うように該隅部に沿って設置する。該除草具１は、綱状、縄状、紐状を成し、前記隅部に押し込まれるように設置される。該除草具１は、合成樹脂材、金属材、麻のいずれか又はこれらの組合せからなる。該除草具１は、除草剤が含侵又は塗布された除草具１とする。除草具１に重石状又はアンカー状又はこれらの組合せからなる固定具を複数個備える。除草具１の表面に反射テープ３を設ける。【選択図】図１
0003154350.tif 000002
【実用新案登録請求の範囲】
【請求項１】
コンクリート、モルタル、アスファルト、金属材、木材等により形成された舗装道路、コンクリートブロック、家屋等の構造物の隅部に設置される除草具であって、該除草具は綱状又は縄状又は紐状を含む略ロープ形状を成し、構造物が地表面に形成する隅部を覆うように該隅部に沿って設置されることを特徴とするロープ状除草具。
【請求項２】
前記除草具は、合成樹脂材、金属材、麻のいずれか又はこれらの組合せからなり、該除草具の断面形状が略丸形状、略矩形状、略三角形状、略星形状、略平帯状のいずれかを成し、該除草具を一本又は複数本組み合わせて使用するように設けられた請求項１記載のロープ状除草具。
【請求項３】
前記除草具は、除草剤が含侵又は塗布された除草具とする請求項１又は２記載のロープ状除草具。
【請求項４】
前記除草具に重石状又はアンカー状又はこれらの組合せからなる固定具を複数個備えた請求項１乃至３いずれか記載のロープ状除草具。
【請求項５】
前記除草具の表面に反射テープを設けた請求項１乃至４いずれか記載のロープ状除草具。
【請求項６】
前記除草具の表面に柔軟な材質からなる被覆層を形成し、隅部に沿って除草具を設置する際に、該被覆層が変形して隅部に押し込まれるように設けられた請求項１乃至４いずれか記載のロープ状除草具。
【考案の詳細な説明】
【技術分野】
【０００１】
本考案は、例えば路側帯の境界部分や家屋外周の隅部等に設置することで、雑草の繁殖を遅延化すると共に、雑草が繁殖した後でも簡単に除去することが可能なロープ状除草具に関するものである。
【背景技術】
【０００２】
例えば舗装とコンクリートブロックなどの境界部分に繁殖する雑草を防ぐ防草構造が特許文献１に記載されている。この構造によると、境界部分に二枚重ねのシートを挟むように位置させ、舗装材とコンクリートブロックなどの地表面のそれぞれに密着させシールすることで、境界部分における雑草の繁殖を防止しようとするものである。
【０００３】
一方、構造物の目地、クラック等の隙間を、金属箔からなる遮光層を備えた防草材で覆う防草方法が特許文献２に記載されている。この防草方法では、隙間を遮光することで、この隙間に雑草が繁殖するのを防止するものである。このとき、防草材に接着剤等を付着しておき、この防草材を構造物に固着するように構成している。
【先行技術文献】
【特許文献】
【０００４】
【特許文献１】特開２００１−６４９３１号公報
【特許文献２】特許第４２２７８５５号公報
【考案の概要】
【考案が解決しようとする課題】
【０００５】
特許文献１に記載の防草構造では、境界部分に二枚重ねのシートを挟むので、この境界部分には、シートを挟む隙間が必要になっている。そのため、自然に隙間が生じている場合を除き、この隙間を形成するために、舗装面を形成する際に予め隙間を形成しておくか、あるいは、舗装後の境界面に回転カッターなどで削り取り、この隙間を形成するなどの手段が必要になっている。したがって、特許文献１の防草構造を利用するには、大掛かりな工事を要する不都合がある。
【０００６】
一方、特許文献２のように、金属箔からなる遮光層を備えた防草材で隙間を覆う防草方法によると、この防草材自体の強度や、防草材設置後の耐久性などに課題を残すものである。すなわち、特許文献２の防草方法では、テープ状の防草材を接着剤で構造物に接着する手段が採用されているので、防草材自体の強度や使用状態の耐久性などに課題を残すものであった。すなわち、道路のように日光や雨風、排気ガス等に晒される劣悪な環境では、接着剤の接着力を長期間維持させることが困難であり、この接着剤の使用により工事コストも高くなる不都合がある。更に、防草材自体が金属箔を積層したテープ状を成しているので破れ易い構造になっており、防草効果を長期間維持することは困難である。しかも、破損した防草材を新しく交換する場合に接着剤が交換作業の妨げになる不都合もある。
【０００７】
このように、従来の防草構造や防草方法によると、防草効果を長期間維持することが困難で、工事のコストが高くなり、防草材の交換作業に支障が生じるなどといった課題が残されていた。
【０００８】
そこで本考案は上述の課題に鑑み案出されたもので、防草効果を長期間維持すると共に、防草材の交換作業が容易でこの交換時に除草効果も生じ、工事コストも安価に済むロープ状除草具の提供を目的とするものである。
【課題を解決するための手段】
【０００９】
上述の目的を達成すべく本考案における第１の手段は、コンクリート、モルタル、アスファルト、金属材、木材等により形成された舗装道路Ｐ１、コンクリートブロックＰ２、家屋等の構造物Ｐの隅部Ｑに設置される除草具１であって、該除草具１は綱状又は縄状又は紐状を含む略ロープ形状を成し、構造物Ｐが地表面に形成する隅部Ｑを覆うように該隅部Ｑに沿って設置されることにある。
【００１０】
第２の手段の前記除草具１は、合成樹脂材、金属材、麻のいずれか又はこれらの組合せからなり、該除草具１の断面形状が略丸形状、略矩形状、略三角形状、略星形状、略平帯状のいずれかを成し、該除草具１を一本又は複数本組み合わせて使用するように設けられるものである。
【００１１】
第３の手段の前記除草具１は、除草剤が含侵又は塗布された除草具１とする。
【００１２】
第４の手段は、前記除草具１に重石状又はアンカー状又はこれらの組合せからなる固定具２を複数個備えたものとする。
【００１３】
第５の手段は、前記除草具１の表面に反射テープ３を設けたことにある。
【００１４】
第６の手段は、前記除草具１の表面に柔軟な材質からなる被覆層４を形成し、隅部Ｑに沿って除草具１を設置する際に、該被覆層４が変形して隅部Ｑに押し込まれるように設けたことを課題解消のための手段とする。
【考案の効果】
【００１５】
本考案の請求項１の如く、略ロープ状を成す除草具１を、構造物Ｐが地表面に形成する隅部Ｑを覆うように該隅部Ｑに沿って設置されることにより、該隅部Ｑに繁殖する雑草等の生長を防止し、又は繁殖を抑制して遅延化することができる。また、繁殖が遅延化された雑草がこの除草具１に沿って繁殖した場合は、除草具１を交換する際に、この除草具１に絡まった雑草も同時に除去することが可能になる。特に、隅部Ｑに吹き溜まりのように堆積した土砂等から繁殖した雑草は、本除草具１を取り除くことで極めて簡単に除去することができるものである。
【００１６】
また、請求項２のように、除草具１の材質が合成樹脂材、金属材、麻のいずれか又はこれらの組合せからなり、該除草具１の断面形状が略丸形状、略矩形状、略三角形状、略星形状、略平帯状のいずれかを成し、該除草具１を一本又は複数本組み合わせて使用するようにしたことで、構造物Ｐの形状や状況に応じた使用が可能になる。また、除草具１の直径や長さ重量が増すほど隅部Ｑに対して安定した設置が可能になる。
【００１７】
更に、請求項３の如く、除草剤が含侵又は塗布された除草具１とすることで、雑草の繁殖防止や遅延化の効果を促進することができる。
【００１８】
請求項４のように、前記除草具１に重石状又はアンカー状又はこれらの組合せからなる固定具２を複数個備えることにより、特に軽量の除草具１などでも設置状態を安定させることが可能になる。
【００１９】
請求項５の如く、除草具１の表面に反射テープ３を設けたことによって、防草効果と共に、暗闇でも隅部Ｑの位置を示す安全機能を備えるものである。
【００２０】
請求項６のように、除草具１の表面に柔軟な材質からなる被覆層４を形成し、隅部Ｑに沿って除草具１を設置する際に、該被覆層４が変形して隅部Ｑに押し込まれるように設けたことで、除草具１の設置状態をより安定化することができる。また、被覆層４を透水性材で形成すると、この被覆層４を介して除草剤を隅部Ｑに染み込ませることも可能である。しかも、隅部Ｑが被覆層４にて塞がれた状態になっているから、この除草具１上に塵や埃、土砂などが堆積しても、除草具１を取り除くと同時に、隅部Ｑの清掃が確実に行われる。
【図面の簡単な説明】
【００２１】
【図１】本考案の使用状態を示す要部斜視図である。
【図２】（I）乃至（III）は本考案の除草具の実施例を示す要部斜視図である。
【図３】（I）及び（II）は本考案の固定具の実施例を示す要部斜視図である。
【図４】本考案の除草具の他の実施例を示す要部断面図である。
【図５】構造物の隅部に雑草が繁殖する状態を示す断面図である。
【考案を実施するための形態】
【００２２】
このように本考案によると、防草効果を長期間維持すると共に、防草材の交換作業が容易でこの交換時に除草効果も生じ、工事コストも安価に済むなどといった目的を実現した。
【実施例】
【００２３】
以下、本考案の一実施例を説明する。本考案は、構造物Ｐが地表面に形成する隅部Ｑに雑草が繁殖するのを防止するもので、ロープ状を成した除草具１を該隅部Ｑに沿って設置するものである。この構造物Ｐは、コンクリート、モルタル、アスファルト、金属材、木材等により形成されたもので、例えば、舗装道路Ｐ１、コンクリートブロックＰ２、家屋Ｐ３等の構造物Ｐが予定される。
【００２４】
そして、除草具１は、綱状又は縄状又は紐状を含む略ロープ形状を成す。このとき、本考案でいう略ロープ状とは、撚りの入った紐状物も含むものとする。そして、この除草具１は、構造物Ｐと地表との隅部Ｑを覆うように設置される。このような隅部Ｑには、繁殖率の旺盛な雑草が地中から伸び出して隅部Ｑに沿って繁殖する場合がある（図５参照）。
【００２５】
また、地中からではなく、隅部Ｑに吹き溜まりのように堆積した土砂等から繁殖する場合もある（図示せず）。本考案は、このような隅部Ｑに設置することで、雑草の繁殖を防止し、あるいは抑止するものである。更に、除草具１上に堆積した土砂に雑草が繁殖した場合は、略ロープ形状の除草具１を隅部Ｑから除去する作業によって、堆積した土砂と共に雑草を根こそぎ除去することができるものである。
【００２６】
更に、除草具１の材質は、合成樹脂材、金属材、麻のいずれか又はこれらの組合せからなる。また、除草具１の断面形状は、略丸形状、略矩形状、略三角形状、略星形状、略平帯状など、任意の形状に設定できるものである（図２参照）。そして、この除草具１を、一本又は複数本組み合わせて使用する。このように各種断面構造の除草具１を形成することで、例えば、高速道路の路側帯からガードレールの支柱の脇、あるいは自宅の周囲に至るまで、設置環境や配置距離に等に応じて自由に配設することが可能になる。
【００２７】
一方、この除草具１に、除草剤を含侵又は塗布することができる。このとき、除草剤は水溶性とすることで、雨水が除草具１を浸したときに、この除草具１から流出した除草剤が隅部Ｑの奥まで広がるようになる。この結果、除草剤が地中に染み込んだ場合は、隅部Ｑ周辺の土壌の除草効果を奏する。また、定着タイプの除草剤を使用した場合は、除草具１上に堆積した土砂に対し、この土砂に雑草が繁殖するのを抑止することができる。また、除草剤はこの例に限られるものではなく、現在使用されている除草剤から適宜選択することができる。
【００２８】
また、別の実施例では、この除草具１に複数個の固定具２を備えることで、除草具１の安定を図っている（図３参照）。同図（I）の固定具２は、除草具１を囲繞する重石状固定具２Ａを成す（同図（I）参照）。また、同図（II）に示す固定具２のように、隅部Ｑに対して斜めに挿し込み固定するアンカー状固定具２Ｂを使用してもよい。同図（II）では、略平帯状の除草具１を重石状固定具２Ａにて１本にまとめると共に、この重石状固定具２Ａを更にアンカー状固定具２Ｂにて刺し通し、隅部Ｑに固定する固定具２を示している。図示のアンカー状固定具２Ｂは、コンクリートネジを使用しているが、アンカー釘など他のアンカー状固定具２Ｂを使用することができる。
【００２９】
更に図１に示す除草具１には、表面に反射テープ３を設けている。この反射テープ３により、例えば夜道でも路側帯等を確認することが可能になる。
【００３０】
図４は、被覆層４を形成した除草具１を示している。すなわち、除草具１の表面に柔軟な材質からなる被覆層４を形成したもので、隅部Ｑに沿って除草具１を設置する際に、該被覆層４が変形して隅部Ｑに押し込まれるように設けたものである。したがって、被覆層４の材質は、例えば不織布やスポンジ状の材質、あるいは柔軟な合成樹脂材などを使用することができる。また、この被覆層４の表面に前記反射テープ３を設けることも可能である。このとき、被覆層４の断面形状は図示例の如く円形状に限られるものではなく、この他、略三角形状、略四角形状、略五角形状、略星形状など、任意の形状にすることで、隅部Ｑの形状等に応じて自由に押し込むことが可能になる。
【００３１】
尚、本考案は、図示例に限定されるものではなく、本考案の各構成は本考案の要旨を変更しない範囲において自由に変更できるものである。
【産業上の利用可能性】
【００３２】
本考案によると、除草具１を設置可能な隅部Ｑであればどのような場所であっても使用することができる。
【符号の説明】
【００３３】
Ｐ  構造物
Ｐ１  舗装道路
Ｐ２  コンクリートブロック
Ｑ  隅部
１  除草具
２  固定具
２Ａ  重石状固定具
２Ｂ  アンカー状固定具
３  反射テープ
４  被覆層
【図１】
0003154350.tif 000003
【図２】
0003154350.tif 000004
【図３】
0003154350.tif 000005
【図４】
0003154350.tif 000006
【図５】
0003154350.tif 000007